(57)【特許請求の範囲】
【請求項１】
所定の大きさのコンクリート板にトラス筋が適宜間隔をもって配筋され、該トラス筋の一部が前記コンクリート板の一面から突出し、該突出したトラス筋間に軽量型枠が適宜間隔をもって配設され、前記コンクリート板の長辺方向の両側部には複数のトラス筋が近接して配筋され、該複数のトラス筋と、これに隣接したトラス筋との間には他の軽量型枠よりも横幅の狭い小型軽量型枠が配設され、これらの軽量型枠のトラス筋に沿った側の配設間隔のうちの少なくとも一列に他の軽量型枠のトラス筋に沿った配設間隔よりも広い配設間隙部が形成されたことを特徴とするプレキャストコンクリート板。
【請求項２】
コンクリート板の長辺方向の両側部に近接して配筋された複数のトラス筋のうちのいずれかが他よりも短いことを特徴とする請求項１に記載のプレキャストコンクリート板。
【請求項３】
軽量型枠の長辺方向の長さがトラス筋の配筋間隔以下であることを特徴とする請求項１または２に記載のプレキャストコンクリート板。
【請求項４】
所定の大きさのコンクリート板にトラス筋が適宜間隔をもって配筋され、該トラス筋の一部が前記コンクリート板の一面から突出し、該突出したトラス筋間に軽量型枠が適宜間隔をもって配設され、前記コンクリート板の長辺方向の両側部には複数のトラス筋が近接して配筋され、該近接した複数のトラス筋と、これに隣接したトラス筋との間には他の軽量型枠よりも横幅の狭い小型軽量型枠が配設され、これらの軽量型枠のトラス筋に沿った側の配設間隔のうちの少なくとも一列に他の軽量型枠のトラス筋に沿った配設間隔よりも広い配設間隙部が形成されたプレキャストコンクリート板が、梁間に隣接状態で複数配設され、これらプレキャストコンクリート板の広い配設間隙部により形成されたスラブ全体の広い配設間隙部の全長に、プレキャストコンクリート板の接合部における近接したトラス筋に対応した連結筋が、これらのトラス筋と直交して配筋されたことを特徴とするコンクリートスラブ。
【請求項５】
複数のトラス筋のうちのいずれかが他よりも短いことを特徴とする請求項４に記載のコンクリートスラブ。
【請求項６】
軽量型枠の長辺方向の長さがトラス筋の配筋間隔以下であることを特徴とする請求項４または５に記載のコンクリートスラブ。
【請求項７】
請求項５のコンクリートスラブを備えたことを特徴とする構築物。
【発明の詳細な説明】
【０００１】
【発明の属する技術分野】
本発明はプレキャストコンクリート板、コンクリートスラブおよび構築物に関するものである。
【０００２】
【従来の技術】
鉄筋コンクリート造などの建物は、ほとんどがプレキャストコンクリート板でスラブを構築しており、このプレキャストコンクリート板を軽量にするために、図１２に示すように、トラス筋２１間に軽量型枠２２を配設したプレキャストコンクリート板２３が多く使用されている。
【０００３】
【発明が解決しようとする課題】
このようにトラス筋および軽量型枠が等間隔ごとに配筋されたプレキャストコンクリート板を、梁間に隣接状態で設置すると、長辺方向の接合部にトラス筋が近接状態で配筋されるため床全体としては、長辺方向の一方向だけが補強されたアンバランスな配筋状態になるという問題があった。
【０００４】
本発明はこれらの問題に鑑みてなされたものであり、その目的は、軽量型枠が配設されたプレキャストコンクリート板を使用してコンクリートスラブを構築する場合に、長辺方向および短辺方向の２方向（縦方向と横方向）にバランスのとれた配筋ができるプレキャストコンクリート板、コンクリートスラブおよび構築物を提供することである。
【０００５】
【課題を解決するための手段】
以上の課題を解決するための手段は、プレキャストコンクリート板が、所定の大きさのコンクリート板にトラス筋が適宜間隔をもって配筋され、該トラス筋の一部が前記コンクリート板の一面から突出し、該突出したトラス筋間に軽量型枠が適宜間隔をもって配設され、前記コンクリート板の長辺方向の両側部には複数のトラス筋が近接して配筋され、該複数のトラス筋と、これに隣接したトラス筋との間には他の軽量型枠よりも横幅の狭い小型軽量型枠が配設され、これらの軽量型枠のトラス筋に沿った側の配設間隔のうちの少なくとも一列に他の軽量型枠のトラス筋に沿った配設間隔よりも広い配設間隙部が形成されたことを特徴とする。またコンクリート板の長辺方向の両側部に近接して配筋された複数のトラス筋のうちのいずれかが他よりも短いことを含む。また軽量型枠の長辺方向の長さがトラス筋の配筋間隔以下であることを含むものである。
またコンクリートスラブが、所定の大きさのコンクリート板にトラス筋が適宜間隔をもって配筋され、該トラス筋の一部が前記コンクリート板の一面から突出し、該突出したトラス筋間に軽量型枠が適宜間隔をもって配設され、前記コンクリート板の長辺方向の両側部には複数のトラス筋が近接して配筋され、該複数のトラス筋と、これに隣接したトラス筋との間には他の軽量型枠よりも横幅の狭い小型軽量型枠が配設され、これらの軽量型枠のトラス筋に沿った側の配設間隔のうちの少なくとも一列に他の軽量型枠のトラス筋に沿った配設間隔よりも広い配設間隙部が形成されたプレキャストコンクリート板が、梁間に隣接状態で複数配設され、これらプレキャストコンクリート板の広い配設間隙部により形成されたスラブ全体の広い配設間隙部の全長に、プレキャストコンクリート板の接合部における近接したトラス筋に対応した連結筋が、これらのトラス筋と直交して配筋されたことを特徴とする。また複数のトラス筋のうちのいずれかが他よりも短いことを含む。また軽量型枠の長辺方向の長さがトラス筋の配筋間隔以下であることを含むものである。また構築物は、上記のコンクリートスラブを備えたことを特徴とする。
【０００６】
コンクリート板の長辺方向の両側部に複数のトラス筋を近接して配筋したことにより、プレキャストコンクリート板同士の接合部の強度をスラブの必要強度に応じて補強できる。
【０００７】
複数のトラス筋のうちのいずれかが他よりも短いことにより、スラブの部分的に異なる強度に応じた配筋ができる。
【０００８】
軽量型枠の長辺方向の長さがトラス筋の配筋間隔以下であることにより、コンクリート板の横方向に配筋される鉄筋の配筋間隔に応じた小割の軽量型枠が配設ができる。
【０００９】
軽量型枠の配設間隔のうちの少なくとも一列を他の配設間隔よりも広くしたことにより、この両側には軽量型枠が均等に配置された軽量型枠群が形成される。また広い配設間隔にはトラス筋に対応した鉄筋が配筋できる。
【００１０】
コンクリート板の長辺方向の両側部のトラス筋を複数にしたことにより、プレキャストコンクリート板の接合部におけるスラブの強度が補強できる。
【００１１】
軽量型枠の広い配設間隙部にはトラス筋に対応した鉄筋が配筋できるので、コンクリートスラブ全体として縦横２方向にバランスがとれた配筋となる。
【００１２】
【発明の実施の形態】
以下、本発明のプレキャストコンクリート板の実施の形態を図面に基づいて説明する。図１はプレキャストコンクリート板の平面図、図２は図１のａ−ａ線断面図、図３は同ｂ−ｂ線断面図である。
【００１３】
図１はプレキャストコンクリート板１を示し、平面矩形のコンクリート板２と、トラス筋３と、軽量型枠４とから構成されている。
【００１４】
プレキャストコンクリート板１は所定の大きさおよび所定の厚さを備えたものであり、長辺方向に沿ったトラス筋３が短辺方向に適宜間隔をもって配筋され、コンクリート板２の長辺方向の両側部には２本のトラス筋３、すなわち内側のトラス筋３ａと、外側のトラス筋３ｂとが近接して配筋されている。これらのトラス筋３、３ａ間には軽量型枠４が適宜間隔ごとに配設され、両側部における近接したトラス筋３ａ、３ｂと、これに隣接したトラス筋３との間には他の軽量型枠よりも横幅の狭い小型軽量型枠４ａが配設されている。
【００１５】
これらの軽量型枠４はトラス筋３とほぼ同じ高さであり、長辺方向の長さがトラス筋３の配筋間隔、すなわち図３におけるａの間隔以下である。軽量型枠４としては打設されるコンクリートによって圧壊しないものが用いられ、例えば、発泡ポリスチレンのような合成樹脂発泡成形品が使用される。しかし、この他にもエチレン系樹脂、プロピレン系樹脂等からなる発泡成形品を使用することも可能である。なお、軽量型枠の材質としては、コンクリートに対する軽量部材であれば特に限定するものではなく、中空鋼管にすることもできる。
【００１６】
またトラス筋３、３ａ、３ｂは、三角形状に配置された一本の上端筋５と二本の下端筋６が波形のラチス筋７で接合されたトラスであり、上端筋５側がコンクリート板２の上面から突出しているとともに、下端筋６がコンクリート板２内に埋設されてスラブ下端筋８に接合されている。なお、トラス筋３は上記のようなものに限定されず、一本の上端筋と一本の下端筋を波型のラチス筋で接合したトラスであってもよい。
【００１７】
図４は他のプレキャストコンクリート板１を示し、（１）は近接して配筋された２本のトラス筋３ａ、３ｂのうちの内側のトラス筋３ａが半分の長さで、かつコンクリート板２の片側にだけ配筋されたものである。また同図の（２）は、前記とは反対に外側のトラス筋３ｂが半分の長さのプレキャストコンクリート板１である。このような配筋は、例えば段差部を形成する場合に、そこを補強することができるので必要な強度に応じた配筋ができる。
【００１８】
図５は他のプレキャストコンクリート板１を示し、（１）は近接して配筋された２本のトラス筋３のうちの内側のトラス筋３ａが半分の長さで、かつコンクリート板２の両側にそれぞれ一本ずつ配筋したものである。また同図の（２）は、これと反対に外側のトラス筋３ｂが半分の長さのものである。上記の（１）および（２）も前記と同様に必要な強度に応じた配筋にできる。
【００１９】
また図６は、図１のプレキャストコンクリート板１の軽量型枠４および小型軽量型枠４ａの中央部におけるトラス筋３に沿った側の配設間隔を、他の軽量型枠４および小型軽量型枠４ａのトラス筋３に沿った配設間隔よりも広くしたプレキャストコンクリート板１である。この広い配設間隙部９は、複数の丸鋼またはトラス筋が近接して配筋できる間隔を備えており、これを中心にしたコンクリート板２の両側には軽量型枠４が均等に配設された軽量型枠群１０が形成されている。
【００２０】
図７は、図４のプレキャストコンクリート板１の中央部における軽量型枠４および小型軽量型枠４ａのトラス筋３に沿った側の配設間隔を、他の軽量型枠４および小型軽量型枠４ａのトラス筋３に沿った配設間隔よりも広くしたものである。さらに図８は、図５のプレキャストコンクリート板１の中央部における軽量型枠４および小型軽量型枠４ａのトラス筋３に沿った側の配設間隔を他の軽量型枠４および小型軽量型枠４ａのトラス筋３に沿った配設間隔よりも広くしたものである。これらも図６のプレキャストコンクリート板１と同様の効果を達成することができる。
【００２１】
次に、図１、図４ないし図８のプレキャストコンクリート板（以下これらを中空プレキャストコンクリート板という）のうちのいくつかを使用して構築したコンクリートスラブを図９〜図１１に基づいて説明する。図９はコンクリートスラブの平面図、図１０は図９のそれぞれの断面図である。
【００２２】
図９は、図８の（１）の中空プレキャストコンクリート板１と複合プレキャストコンクリート板１１とを梁１２間に交互に隣接して敷設したコンクリートスラブ１３であり、前記のプレキャストコンクリート板１、１１上にスラブ上端筋１４が配筋され、その上にトップコンクリート１５が打設されている。
【００２３】
この中空プレキャストコンクリート板１と隣接した複合プレキャストコンクリート板１１は、分割された二つのエリア１６、１７のうちの一方のエリア１６に背の高いトラス筋３が長辺方向に沿って配筋されているとともに、他方のエリア１７に背の低いトラス筋１８が適宜間隔ごとに配筋されて、その端部が背の高いトラス筋３と重ね配筋されている。
【００２４】
これらの背の高いトラス筋３間には、長辺方向の長さがトラス筋の配筋間隔ａ以下である軽量型枠４が適宜間隔ごとに配設されている。よって、これらの背の高いトラス筋３と背の低いトラス筋１７とには高低差があり、これをもってトップコンクリート１５が打設されて段差部１９を形成せしめている（図１０）。
【００２５】
そして、前記段差部１９と隣接した中空プレキャストコンクリート板３には２重のトラス筋３ａ、３ｂが配筋されて、段差部１９との接合部を補強している。
【００２６】
また、各軽量型枠４間にはトラス筋３に対応した、丸鋼等の連結筋２０が配筋されるとともに、プレキャストコンクリート板１、１１の広い配設間隙部９により形成されたスラブ全体の広い配設間隙部９の全長に掛けては、接合部における近接したトラス筋３、３ｂに対応した一対の連結筋２０が配筋されて、スラブ全体として縦横２方向にバランスのとれた配筋となっている。
【００２７】
このように段差部１９との接合部は２重のトラス筋３ａ、３ｂにより補強され、かつ全体としても縦横２方向にバランスのとれた配筋のコンクリートスラブ１３が構築されている。
【００２８】
図１１は、図６のプレキャストコンクリート板１を梁１２間に敷設したコンクリートスラブ１３であり、これも前記と同様に軽量型枠４間にトラス筋３と対応した連結筋２０が配筋されるとともに、プレキャストコンクリート板１の広い配設間隙部９により形成されたスラブ全体の広い配設間隙部９の全長に掛けては、接合部における近接したトラス筋３ａ、３ｂに対応した４本の連結筋２０が配筋されている。これも前記と同様に縦横２方向にバランスがとれた配筋とすることができる。
【００２９】
また図１、図４、図５および図７などの中空プレキャストコンクリート板１を使用して、図９や図１１とは別のコンクリートスラブを構築することができる（図示せず）。これらいずれのコンクリートスラブも、縦横２方向にバランスのとれた配筋とすることができる。
【００３０】
また図９、図１１のコンクリートスラブ１３のほか、図１、図４、図５、図７のプレキャストコンクリート板１によるコンクリートスラブを使用して鉄骨造、鉄筋コンクリート造および鉄骨鉄筋コンクリート造の構築物を構築すると、段差部が補強され、かつ全体としてバランスのよい配筋のコンクリートスラブを備えた構築物が構築できる。
【００３１】
【発明の効果】
隣接したプレキャストコンクリート板同士の接合部における強度を大きくすることができる。
【００３２】
コンクリート板の長辺方向の両側部に複数のトラス筋を近接して配筋したことにより、プレキャストコンクリート板同士の接合部の強度をスラブの必要強度に応じて補強できる。
【００３３】
複数のトラス筋のうちのいずれかが他よりも短いことにより、スラブの部分的に異なる強度に応じた配筋ができる。
【００３４】
軽量型枠の長辺方向の長さがトラス筋の配筋間隔以下であることにより、コンクリート板の横方向に配筋される鉄筋の配筋間隔に応じた軽量型枠が配設ができる。
【００３５】
軽量型枠の配設間隔のうちの少なくとも一列を他の配設間隔よりも広くしたことにより、該広い配設間隔部にはトラス筋に対応した鉄筋が配筋できる。また広い配設間隔部の両側には軽量型枠が均等に配置された軽量型枠群が形成される。
【００３６】
コンクリート板の長辺方向の両側部のトラス筋を複数にしたことにより、プレキャストコンクリート板の接合部におけるスラブの強度を補強できる。
【００３７】
軽量型枠の広い配設間隙部にはトラス筋に対応した鉄筋が配筋できるので、コンクリートスラブ全体として縦横２方向にバランスがとれた配筋となる。
【図面の簡単な説明】
【図１】プレキャストコンクリート板の平面図である。
【図２】図１のａ−ａ線断面図である。
【図３】図１のｂ−ｂ線断面図である。
【図４】（１）および（２）は他のプレキャストコンクリート板の平面図である。
【図５】（１）および（２）は他のプレキャストコンクリート板の平面図である。
【図６】プレキャストコンクリート板の平面図である。
【図７】（１）および（２）はプレキャストコンクリート板の平面図である。
【図８】（１）および（２）はプレキャストコンクリート板の平面図である。
【図９】コンクリートスラブの一部切欠平面図である。
【図１０】（１）は図９のｃ−ｃ線断面図、（２）は同ｄ−ｄ線断面図、（３）はトップコンクリートを打設した断面図である。
【図１１】コンクリートスラブの一部切欠平面図である。
【図１２】従来のプレキャストコンクリート板の平面図である。
【符号の説明】
１  プレキャストコンクリート板
２  コンクリート板
３、３ａ、３ｂ  トラス筋
４  軽量型枠
５  上端筋
６  下端筋
７  ラチス筋
８  スラブ下端筋
９  広い配設間隙部
１２  梁
１３  コンクリートスラブ
１５  トップコンクリート
２０  連結筋
【図１】
0003813718.tif 000002
【図２】
0003813718.tif 000003
【図３】
0003813718.tif 000004
【図４】
0003813718.tif 000005
【図５】
0003813718.tif 000006
【図６】
0003813718.tif 000007
【図７】
0003813718.tif 000008
【図８】
0003813718.tif 000009
【図９】
0003813718.tif 000010
【図１０】
0003813718.tif 000011
【図１１】
0003813718.tif 000012
【図１２】
0003813718.tif 000013